(57)【要約】【課題】  記録媒体が定着ユニットに巻き付くことの防止を、確実に、しかも最適な画像形成のプロセス条件を用いて行うカラー画像形成装置を実現すること。【解決手段】  不揮発性メモリに、記録媒体が、定着ユニットに巻き付かないトナーの最大濃度を現す巻付き防止現像バイアス値情報を含み、さらに、ステップＳＳ１０１で、色域に基づいた現像バイアス値情報の選択を行い、現像バイアス値情報が変更される際には、ステップＳ１０３で変更された現像バイアス値に基づいて、プロセス条件を最適化するので、画像情報が、写真等の高トナー濃度である場合にも、色域の選択により、巻付き防止現像バイアス値を用いた最適なプロセス条件のもとで画像形成がおこなわれ、記録媒体が、定着ユニットに巻き付くことを確実に防止し、しかも、最適化されたプロセス条件を用いた画像形成により、トナー付着濃度の低減による画質の低下を最小限に抑えることを実現させる。【選択図】        図１
2005227314.tif 000002
【特許請求の範囲】
【請求項１】
像担持体にトナー像の形成を行う現像器と、
前記像担持体から、記録媒体に転写された前記トナー像を、前記記録媒体に定着させる定着ローラと、
前記像担持体に付着されるトナーの最高濃度を、現像バイアス値情報により、前記現像器に設定する制御部と、
前記形成の際の現像情報を、前記制御部に入力する入力手段と、
を備えるカラー画像形成装置であって、
前記制御部は、前記定着ローラに、前記記録媒体の巻き付きが生じないトナーの最大濃度を現す巻付き防止現像バイアス値情報を含む複数の現像バイアス値情報を有し、前記入力手段は、複数の前記現像バイアス値を選択する選択手段を有し、前記選択手段により、前記巻付き防止現像バイアス値情報が選択される際に、前記制御部は、前記巻付き防止現像バイアス値情報に基づいたトナー像の形成により、前記定着ローラでの前記記録媒体の巻付きを防止することを特徴とするカラー画像形成装置。
【請求項２】
前記制御部は、前記現像バイアス値情報が変更されるごとに、前記トナー像を形成するプロセス条件を最適化し、最適化された前記プロセス条件に基づいてトナー像の形成を行うことを特徴とする請求項１に記載のカラー画像形成装置。
【請求項３】
前記選択手段は、手動で選択される、前記トナー像の元になる画像情報の色域情報に基づいて、前記現像バイアス値情報を選択することを特徴とする請求項１あるいは２のいずれか１つに記載のカラー画像形成装置。
【請求項４】
前記プロセス条件は、前記トナー像を形成する帯電器の帯電グリッド電圧、前記トナー像の前段階である潜像を形成する書込ユニットのレーザーパワーおよび前記トナー像の元になる画像情報のγ補正に用いられるγ曲線の形状を含むことを特徴とする請求項２あるいは３のいずれか１つに記載のカラー画像形成装置。
【請求項５】
前記選択手段は、複数の前記現像バイアス値情報を記憶する不揮発性メモリを備えることを特徴とする請求項１ないし４のいずれか１つに記載のカラー画像形成装置。
【発明の詳細な説明】
【技術分野】
【０００１】
この発明は、高濃度の画像情報を印刷するカラー画像形成装置に関する。
【背景技術】
【０００２】
近年、ディジタル写真等に代表される高濃度の画像情報が、電子写真方式のカラー画像形成装置により、記録媒体に形成される。この電子写真方式のカラー画像形成装置では、記録媒体に、画像情報を含むトナーが転写される。そして、トナーが転写された記録媒体は、定着ユニットに搬送され、ローラ等により、加温および圧力が加えられトナーの定着が行われる。
【０００３】
ここで、高濃度のトナーが転写された記録媒体の定着を行う際に、定着ユニットに記録媒体が巻き付くということが生じる。これにより、印刷は、中断し、メンテナンス等に多くの時間が費やされ、印刷効率を著しく低下させる。
【０００４】
そこで、この定着ユニットに記録媒体が巻き付くことを防止するために、定着温度を下げたり、あるいは、記録媒体の材質を限定する等のことが行われる。
他方、トナーは高価であるため、トナーの量を節約するトナーセーブモードを有するカラー画像形成装置が存在する。これらのカラー画像形成装置では、トナー像を形成する現像器に、像担持体（感光体ドラム）に付着されるトナーの最高濃度を指定する、現像バイアス値情報を設定し、記録媒体に付着するトナーを節約することが行われる（例えば、特許文献１参照）。そして、このトナーセーブモードを用いて、トナーの最高濃度を減らし、定着ユニットへの、記録媒体の巻付きを防止することが行われる。
【特許文献１】特開平９―１８５２０８号公報、（第１頁、図１）
【発明の開示】
【発明が解決しようとする課題】
【０００５】
しかしながら、上記背景技術によれば、画像情報が形成される記録媒体を、好適なプロセス条件のもとで印刷し、かつ定着ユニットのローラに巻き付くことを確実に防止することができない。すなわち、トナーセーブモードでは、トナー量は減るものの、画像形成を行う際の種々のプロセス条件が通常通りであるため、トナー量の減少による画質低下に加え、好適なプロセス条件での、画像形成とはならない。また、定着ユニットに巻き付くトナー量は、オペレータにとって未知であり、いきおい曖昧な設定となる。これにより、トナー量の過大な減少による画質低下、あるいは、トナー量の過小な減少による巻き付きが生じる。
【０００６】
特に、定着ユニットに巻き付くトナー量は、記録媒体ごとに異なるものとなるので、オペレータにより、巻き付き防止のトナー量を設定することは、さらに困難なものとなる。
これらのことから、記録媒体が定着ユニットに巻き付くことの防止を、確実に、しかも最適な画像形成のプロセス条件を用いて行うカラー画像形成装置いかに実現するかが重要となる。
【０００７】
この発明は、上述した背景技術による課題を解決するためになされたものであり、記録媒体が定着ユニットに巻き付くことの防止を、確実に、しかも最適な画像形成のプロセス条件を用いて行うカラー画像形成装置を提供することを目的とする。
【課題を解決するための手段】
【０００８】
上述した課題を解決し、目的を達成するために、請求項１に記載の発明にかかるカラー画像形成装置は、像担持体にトナー像の形成を行う現像器と、前記像担持体から、記録媒体に転写された前記トナー像を、前記記録媒体に定着させる定着ローラと、前記像担持体に付着されるトナーの最高濃度を、現像バイアス値情報により、前記現像器に設定する制御部と、前記形成の際の現像情報を、前記制御部に入力する入力手段と、を備えるカラー画像形成装置であって、前記制御部は、前記定着ローラに、前記記録媒体の巻き付きが生じないトナーの最大濃度を現す巻付き防止現像バイアス値情報を含む複数の現像バイアス値情報を有し、前記入力手段は、複数の前記現像バイアス値を選択する選択手段を有し、前記選択手段により、前記巻付き防止現像バイアス値情報が選択される際に、前記制御部は、前記巻付き防止現像バイアス値情報に基づいたトナー像の形成により、前記定着ローラでの前記記録媒体の巻付きを防止することを特徴とする。
【０００９】
この請求項１に記載の発明では、制御部は、定着ローラに、記録媒体の巻き付きが生じないトナーの最大濃度を現す巻付き防止現像バイアス値情報を含む複数の現像バイアス値情報を有し、入力手段は、選択手段により、現像バイアス値を選択し、この選択で巻付き防止現像バイアス値情報が選択される際に、制御部は、巻付き防止現像バイアス値情報に基づいたトナー像の形成により、定着ローラでの記録媒体の巻付きを防止する。
【００１０】
また、請求項２に記載の発明にかかるカラー画像形成装置は、前記制御部が、前記現像バイアス値情報が変更されるごとに、前記トナー像を形成するプロセス条件を最適化し、最適化された前記プロセス条件に基づいてトナー像の形成を行うことを特徴とする。
【００１１】
この請求項２に記載の発明では、制御部は、現像バイアス値情報が変更されるごとに、プロセス条件の最適化および最適化されたプロセス条件に基づいたトナー像の形成を行う。
【００１２】
また、請求項３に記載の発明にかかるカラー画像形成装置は、前記選択手段が、手動で選択される、前記トナー像の元になる画像情報の色域情報に基づいて、前記現像バイアス値情報を選択することを特徴とする。
【００１３】
この請求項３に記載の発明では、選択手段は、手動で選択される色域情報に基づいて、現像バイアス値情報を選択する。
また、請求項４に記載の発明にかかるカラー画像形成装置は、前記プロセス条件が、前記トナー像を形成する帯電器の帯電グリッド電圧、前記トナー像の前段階である潜像を形成する書込ユニットのレーザーパワーおよび前記トナー像の元になる画像情報のγ補正に用いられるγ曲線の形状を含むことを特徴とする。
【００１４】
この請求項４に記載の発明では、プロセス条件に、帯電グリッド電圧、レーザーパワーおよびγ曲線の形状を含ませる。
また、請求項５に記載の発明にかかるカラー画像形成装置は、前記選択手段が、複数の前記現像バイアス値情報を記憶する不揮発性メモリを備えることを特徴とする。
【００１５】
この請求項５に記載の発明では、前記選択手段は、不揮発性メモリに、複数の現像バイアス値情報を記憶する。
【発明の効果】
【００１６】
以上説明したように、請求項１に記載の発明によれば、制御部は、定着ローラに、記録媒体の巻き付きが生じないトナーの最大濃度を現す巻付き防止現像バイアス値情報を含む複数の現像バイアス値情報を有し、入力手段は、選択手段により、現像バイアス値を選択し、この選択で巻付き防止現像バイアス値情報が選択される際に、制御部は、巻付き防止現像バイアス値情報に基づいたトナー像の形成により、定着ローラでの記録媒体の巻付きを防止することとしているので、記録媒体が、定着ローラに巻付くことを、確実に防止し、ひいてはトラブルのない画像形成を行うことができる。
【００１７】
請求項２に記載の発明によれば、制御部は、現像バイアス値情報が変更されるごとに、プロセス条件の最適化および最適化されたプロセス条件に基づいたトナー像の形成を行うこととしているので、現像バイアス値情報ごとのプロセス条件を記憶、保存する必要がなく、メモリの容量を小さなものとすることができ、また巻付き防止現像バイアス値情報を用いたトナー像の形成を、高品質に行うことができる。
【００１８】
請求項３に記載の発明によれば、選択手段は、手動で選択される色域情報に基づいて、現像バイアス値情報を選択することとしているので、印刷する画像情報の種類に応じて、オペレータにとって把握しやすい色域の設定により、現像バイアス値情報を、選択することができる。
【００１９】
請求項４に記載の発明によれば、プロセス条件に、帯電グリッド電圧、レーザーパワーおよびγ曲線の形状を含ませることとしているので、画像形成を構成する各プロセスで、最適化を行うことができる。
【００２０】
請求項５に記載の発明によれば、選択手段は、不揮発性メモリに、複数の現像バイアス値情報を記憶することとしているので、電源オフ時の、現像バイアス値情報の消失を防止すると同時に、現像バイアス値情報から最適なプロセス条件を求め、メモリ容量の大きいプロセス条件を、不揮発性メモリに保持せず、小さなメモリ容量の不揮発性メモリとすることもできる。
【発明を実施するための最良の形態】
【００２１】
以下に添付図面を参照して、この発明にかかるカラー画像形成装置を実施するための最良の形態について説明する。なお、これにより本発明が限定されるものではない。
まず、本実施の形態にかかる画像形成装置の全体構成について、図２および図３を用いて説明する。図２は、画像形成装置の電気的構成を示すブロック図、図３は画像形成装置の構成部品と配置を示す構成図である。
【００２２】
図２において、画像形成装置は、入力手段１０７、ＣＰＵ１００、不揮発性メモリ３００、スキャナ５００、画像処理部６００、画像形成部２００、入力部４００および出力部７００からなる。そして、画像形成部２００は、像担持体（感光体ドラムとも称する）１、クリーニング部４０、プリンター制御部１２４、帯電器１０、露光手段１９、現像器３０、定着ユニット５０および搬送手段６０からなる。
【００２３】
入力手段１０７は、ＬＣＤタッチパネルおよびキーボード等からなり、画像形成の際の印刷情報が、表示および設定される。この設定では、例えば、ＬＣＤタッチパネル上に、図４に示す様な、選択手段１０９をなす選択画面が表示される。ここで、選択画面では、カーソル等により選択される、目的とする項目ごとの印刷情報が表示される。そして、この項目には、色域の項目が存在し、設定内容の変更キーの操作により、標準およびワイドの選択を行うことができる。なお、ここで設定された印刷情報は、後述するプリンター制御部１２４に送信される。
【００２４】
図２に戻り、スキャナ５００および画像処理部６００は、入力手段１０７からの指示により、原稿の画像を読み取り、この読み取られた画像情報に画像処理を行う。ここで、画像処理部６００では、画像情報にγ補正等の処理を行い、画像形成部２００に出力する。
【００２５】
入力部４００は、給紙トレイに格納される記録媒体を一枚ずつ取り出して、画像形成部２００に搬入する。画像形成部２００は、像担持体１，帯電器１０、露光手段１９、クリーニング部４０、現像器３０、定着ユニット５０、搬送手段６０およびプリンター制御部１２４を含み、入力部４００から搬入された記録媒体上に、画像処理部６００から受信した画像情報の画像形成を行う。なお、画像形成部２００については、後に詳述する。出力部７００は、画像形成部２００で画像形成された記録媒体の、排紙皿への排出を行う。
【００２６】
ＣＰＵ１００は、入力手段１０７、スキャナ５００、画像処理部６００、入力部４００、画像形成部２００、出力部７００および不揮発性メモリ３００を、統括および制御する中央演算プロセッサーである。ここで、不揮発性メモリ３００は、後述する現像バイアス値情報等を記憶する不揮発性のメモリである。
【００２７】
図３は、入力部４００、画像形成部２００および出力部７００の構成部品と配置を示す構成図である。入力部４００は、レジストローラ４３０、４３１および給紙トレイ１０１を含む。給紙トレイ１０１は、記録媒体を格納する。そして、トレイの記録媒体は、レジストローラ４３０、４３１を介して、画像形成部２００に一枚ずつ搬送される。
【００２８】
搬送手段６０は、ローラ２，３、中間転写体４および転写ローラ６２を含む。ここで、図３に示される画像形成部２００には、像担持体１，帯電器１０、露光手段１９、クリーニング部４０および現像器３０は、カラー画像情報を構成する成分色、Ｙ（イエロー）、Ｍ（マゼンタ）、Ｃ（シアン）およびＫ（ブラック）の中の、１つのみが図示されている。中間転写体４に沿って配置される、これら各色の構成部品は、全く同様であるので、同様部品の図示を省略する。
【００２９】
画像形成部２００において、１は、各色の潜像およびトナー像が形成される像担持体１、２および３は中間転写体４を所定の速度で駆動するための中間転写体駆動ローラ、１０は、画像形成のための帯電を行う帯電器である。なお、Ｙ，Ｍ，Ｃ，Ｋごとの図３に示す帯電器１０が、図２における帯電器１０を構成している。また、像担持体１には、潜像あるいはトナー像を形成する画像形成剤、トナーが付着される。
【００３０】
また、図３の画像形成部２００において、２０は、画像形成のための露光を行う書込みユニットである。なお、Ｙ，Ｍ，Ｃ，Ｋごとの図３に示す書込ユニット２０が、図２における露光手段１９を構成しており、画像処理部６００からＹ，Ｍ，Ｃ，Ｋごとの画像情報を受け取る。そして、像担持体１上に画像情報の潜像を形成する。
【００３１】
また、図３の画像形成部２００において、３０は像担持体１上で画像形成（潜像の可視像化）のための現像を行う現像器である。なお、Ｙ，Ｍ，Ｃ，Ｋごとの図３に示す現像器３０が、図２における現像器３０を構成している。この現像器では、像担持体１上に、画像情報の画素値に概ね比例するトナーが付着される。この付着されるトナーの単位面積あたりの最高濃度は、プリンター制御部１２４からの現像バイアス値により制御される。
【００３２】
書込ユニット２０により像担持体１上に形成された画像情報は、現像器３０により、潜像からトナー像へ変換され、像担持体１と圧着する中間転写体４上に中間転写される。その後、中間転写体４上のトナー像は、転写ニップ部において、給紙トレイから給紙された記録媒体上に転写される。
【００３３】
また、図３の画像形成部２００において、４０は像担持体１上の転写後の不要トナーを除去するクリーニング部である。また、４０‘は、中間転写体４上の転写後の不要トナーを除去するクリーニング部である。これらクリーニング部において、像担持体１および中間転写体４上の不要トナーが除去される。
【００３４】
また、７０は、除電針よりなり、記録媒体を除電し中間転写体４から分離する分離ユニットである。５０は記録媒体上に転写されたトナー像を熱と圧力とにより定着させる定着ユニットである。転写ローラ６２は、記録媒体の搬送を行う搬送手段であり、記録媒体を中間転写体４との転写位置で所定の速度で搬送する。なお、転写ローラ６２は、図２における搬送手段６０を構成する。
【００３５】
転写ニップ部では、転写ローラ６２が記録媒体を中間転写体４に押圧し、図示しない電源により印可される逆バイアス電圧により、中間転写体４上のトナー像を記録媒体に転写する。トナー像を担持した記録媒体は、分離ユニット７０の除電針により除電され中間転写体４から分離され定着ユニット５０に送られる。
【００３６】
定着ユニット５０は、加熱ローラおよび加圧ローラのローラ対からなり、熱と圧力により、記録媒体上のトナーを定着させる。定着ユニット５０により定着された記録媒体は、出力部７００に搬送される。
【００３７】
出力部７００は、排紙皿１０８等を含み、画像形成された記録媒体を、画像形成された記録媒体を、排紙皿１０８に排出する。
ここで、本実施の形態にかかる、画像形成装置の動作について説明する前に、不揮発性メモリ３００に記憶される現像バイアス値情報について説明する。上述したように、像担持体に付着されるトナーの単位面積あたりの最高濃度は、最高濃度に概ね比例する現像バイアス値により制御される。ここで、不揮発性メモリ３００に記憶される現像バイアス値情報には、通常使用される高い値の標準現像バイアス値と、定着ユニット５０への巻付きを防止する低い値の巻付き防止現像バイアス値とが記憶されている。
【００３８】
巻付き防止現像バイアス値には、定着ユニット５０への巻き付きが生じない最大濃度のトナーに対応する値が設定される。これにより、記録媒体に付着されるトナーの濃度は、この最大濃度以下に抑えられ、従って、記録媒体が、定着ユニット５０に巻き付くことを確実に防止することができる。なお、この巻付き防止現像バイアス値は、実験的に、異なる記録媒体ごとに決定される。
【００３９】
図５は、現像器３０で、標準現像バイアス値あるいは巻付き防止現像バイアス値が選択された場合の、出力画素値と、付着されるトナー付着濃度の関係を図示したものである。出力画素値とトナー付着濃度は、概ね比例し、標準現像バイアス値が選択される場合には、最大画素値に対して、トナー付着濃度は、標準最大濃度となる。これに対して、巻付き防止現像バイアス値が選択される場合には、最大画素値に対して、トナー付着濃度は、標準最大濃度より低い値の、巻付き防止最大濃度となる。この巻付き防止最大濃度は、当然、巻き付きが生じないトナーの最大濃度以下であるので、巻付き防止現像バイアス値が選択される場合には、トナー像が転写された記録媒体が、定着ユニット５０の巻き付くことは生じない。
【００４０】
つぎに、本実施の形態にかかる、画像形成装置の動作について、図１を用いて説明する。図１は、本実施の形態にかかる、画像形成装置の動作を示すフローチャートである。まず、オペレータは、記録する記録媒体および画像情報に基づいて、図４に示す選択手段１０９により、色域を選択する（ステップＳ１０１）。ここで、選択された色域情報から、ＣＰＵ１００は、不揮発性メモリ３００の現像バイアス値を選択し、この情報をプリンター制御部１２４に送信する。なお、画像情報が、文字等の低トナー濃度である場合には、標準の色域が選択されるので、標準現像バイアス値が選択され、画像情報が、写真等の高トナー濃度である場合には、ワイドの色域が選択されるので、巻付き防止現像バイアス値が選択される。
【００４１】
その後、制御部であるプリンター制御部１２４は、色域が変更されたかどうかを判定し（ステップＳ１０２）、色域が変更された場合には（ステップＳ１０２肯定）、変更後の現像バイアス値情報、すなわち標準現像バイアス値情報あるいは巻付き防止現像バイアス値情報のどちらかに基づいて、最適なプロセス条件を算出するプロセス条件最適化処理を行う（ステップＳ１０３）。また、色域が変更されていない場合には（ステップＳ１０２否定）、プロセス条件に変更がないので、ステップＳ１０３を行わず、つぎのステップに移行する。
【００４２】
ここで、ステップＳ１０３のプロセス条件最適化処理について、図６を用いて説明する。図６は、プロセス条件最適化処理の動作を示すフローチャートである。まず、プリンター制御部１２４は、変更後の現像バイアス値情報を、不揮発性メモリ３００から、ＣＰＵ１００経由で受信する（ステップＳ６０１）。
【００４３】
その後、プリンター制御部１２４は、この現像バイアス値情報を、現像器３０に設定する（ステップＳ６０２）。そして、現像バイアス値を固定した状態で、帯電器１０の帯電グリッド電圧、露光手段１９のレーザーパワー、画像処理部６００のγ曲線の設定値を変更する（ステップＳ６０３）。ここで、帯電グリッド電圧は、潜像が形成される像担持体１の表面電位を一定に保持するための表面電位補正、レーザーパワーは、露光する際の中間調の電位を一定にするための中間電位補正、γ曲線は、記録媒体上に形成される画像情報の階調を、一定にするためのγ曲線補正、を目的とする。また、この変更は、最適値の存在すると思われる値の近傍で、所定回繰り返される。
【００４４】
なお、このγ曲線補正は、印刷を行う画像情報の種類、例えば、写真あるいは文字等に応じて異なる画像処理を行う、いわゆるスクリーン処理ごとに補正を行う。このスクリーン処理には、画像処理を行わないスクリーン無し、誤差拡散処理、ドットスクリーン処理およびラインスクリーン処理等がある。
【００４５】
その後、プリンター制御部１２４は、ステップＳ６０３で変更された設定値に基づいて、基本パターン（パッチとも称する）の画像形成を行う（ステップＳ６０４）。そして、この基本パターンを、例えば、クリーニング部４０‘手前の中間転写体４上で、図示しない光センサにより検知し、予め設定される、帯電グリッド電圧、レーザーパワーおよびγ曲線の目的とする値からのずれである偏差を求める（ステップＳ６０５）。
【００４６】
その後、プリンター制御部１２４は、ステップＳ６０３および６０５の処理を所定回数繰り返したかどうかを判定し（ステップＳ６０６）、所定回数行っていない場合には（ステップＳ６０６否定）、所定回数までこの処理を繰り返し、プロセス条件の、目的とする値からの偏差を取得する。そして、所定回数の後に（ステップＳ６０６肯定）、収集された偏差情報から、偏差が最小となる帯電グリッド電圧、レーザーパワーおよびγ曲線の設定値を、プロセス条件として決定する（ステップＳ６０７）。
【００４７】
その後、図１に戻り、プリンター制御部１２４は、現像器３０、帯電器１０、露光手段１９および画像処理部６００に、決定されたプロセス条件の設定を行う（ステップＳ１０５）。そして、プリンター制御部１２４は、給紙トレイ１０１から入力された記録媒体にプリントを行う（ステップＳ１０６）。
【００４８】
その後、プリンター制御部１２４は、同一の印刷条件のもとで再度プリントを行うかどうかを、ＣＰＵ１００からの情報に基づいて判定し（ステップＳ１０７）、プリントを行う場合には（ステップＳ１０７肯定）、ステップＳ１０６に移行し、再びプリントを行う。また、プリントを行わない場合には（ステップＳ１０７否定）、本処理を終了する。
【００４９】
上述してきたように、本実施の形態では、不揮発性メモリ３００に、記録媒体が、定着ユニット５０に巻き付かないトナーの最大濃度を現す巻付き防止現像バイアス値情報を含み、さらに、選択手段１０９により現像バイアス値情報の選択を行い、現像バイアス値情報が変更される際には、変更された現像バイアス値に基づいて、プロセス条件を最適化するので、画像情報が、写真等の高トナー濃度である場合には、色域の選択により、巻付き防止現像バイアス値を用いた最適なプロセス条件のもとで画像形成がおこなわれ、記録媒体へのトナー付着濃度を、巻付き防止最大濃度以下に納め、記録媒体が、定着ユニット５０に巻き付くことを確実に防止し、しかも、標準プロセス条件とは異なる最適化されたプロセス条件を用いて画像形成が行い、トナー付着濃度の低減による画質の低下を最小限に抑えることができる。
【００５０】
また、本実施の形態では、現像バイアス値が変更されるごとにプロセス条件の最適化を行うこととしたが、標準的なプロセス条件を、不揮発性メモリ３００に記憶しておき、標準の色域が選択される際の、プロセス条件最適化処理を省略することもできる。
【図面の簡単な説明】
【００５１】
【図１】カラー画像形成装置の動作を示すフローチャートである。
【図２】カラー画像形成装置の電気的な構成を示すブロック図である。
【図３】カラー画像形成装置の機械的な構成を示すブロック図である。
【図４】実施の形態の設定手段を示す図である。
【図５】実施の形態の記録媒体へのトナー付着濃度と、出力画素値との関係を示す図である。
【図６】実施の形態のプロセス条件最適化処理を示すフローチャートである。
【符号の説明】
【００５２】
１  像担持体
２，３  ローラ
４  中間転写体
１０  帯電器
１９  露光手段
２０  書込ユニット
３０  現像器
４０  クリーニング部
５０  定着ユニット
６０  搬送手段
６２  転写ローラ
７０  分離ユニット
１０１  給紙トレイ
１０７  入力手段
１０８  排紙皿
１０９  選択手段
１２４  プリンター制御部
２００  画像形成部
３００  不揮発性メモリ
４００  入力部
４３０  レジストローラ
５００  スキャナ
６００  画像処理部
７００  出力部
【図１】
2005227314.tif 000003
【図２】
2005227314.tif 000004
【図３】
2005227314.tif 000005
【図４】
2005227314.tif 000006
【図５】
2005227314.tif 000007
【図６】
2005227314.tif 000008